(57)【要約】【課題】  各画素が発光素子を持つ複数画素をライン配列した発光素子アレイを備えた露光装置で、画素毎の経時変化による影響を抑制し、画像形成時のムラの発生を抑制する。【解決手段】  発光素子アレイの複数画素の各々の発光素子に印加された駆動電流の電流値と駆動時間の積の積算値を記憶する計時記憶部25と、発光素子の駆動電流値と駆動時間に対する輝度変化率特性をテーブルで記憶する特性変化テーブル26と、感光体ドラムに１ラインを露光する１ライン時間を分割した各分割期間で１ラインの露光に要する１ライン露光エネルギーを分割供給し、１ライン露光エネルギーに対する比率が最も小さい分割露光エネルギーを供給する分割期間に、各画素の発光素子に印加する駆動電流値を、計時記憶部25に記憶された積算値と特性変化テーブル26の輝度変化率特性とに基づく値に補正する補正駆動値を算出するデータ解析・タイミング制御部20とを備える。【選択図】      図２
2010006023.tif 000002
【特許請求の範囲】
【請求項１】
感光体ドラムに画像データに応じた露光を行なう露光装置であって、
発光素子を有する複数の画素がライン状に配列され、前記感光体ドラムに前記画像データに応じた露光を行なって、該感光体ドラムに露光エネルギーを供給する発光素子アレイと、
前記発光素子アレイの前記複数の画素の各々の前記発光素子に印加された駆動電流の電流値と駆動時間との積の積算値を記憶する計時記憶部と、
前記発光素子の前記駆動電流の電流値と駆動時間に対する輝度変化率特性を記憶した特性変化率記憶部と、
前記感光体ドラムに１ラインを露光するのに要する１ライン露光エネルギーを複数の分割露光エネルギーに分割し、前記感光体ドラムに１ラインを露光する１ライン時間を、前記各分割露光エネルギーを供給する複数の分割期間に分割し、前記複数の分割露光エネルギーのうちの前記１ライン露光エネルギーに対する比率が最も小さい前記分割露光エネルギーを供給する特定の分割期間において、前記各画素の前記発光素子に印加する駆動電流の電流値を、前記積算値と前記輝度変化率特性とに基づく値に設定して、前記各画素の前記発光素子の輝度変化率を近づける制御部と
を備えたことを特徴とする露光装置。
【請求項２】
前記発光素子アレイにおける前記複数の画素は、所定数の前記画素からなる複数の画素群に分割され、該各画素群の前記各画素が時分割で駆動されることを特徴とする請求項１記載の露光装置。
【請求項３】
前記制御部は、前記特定の分割期間において前記各画素の前記発光素子に印加する駆動電流の電流値を前記積算値と前記輝度変化率特性とに基づく値に設定する動作を、前記感光体ドラムに複数のラインを露光する複数ライン期間に亘って行って、前記各画素の前記発光素子の輝度変化率を近づけることを特徴とする請求項１または２に記載の露光装置。
【請求項４】
前記制御部は、前記１ライン時間を前半の第１期間と後半の第２期間に２分割し、前記第１期間における前記分割露光エネルギーを、前記第２期間における前記分割露光エネルギーより小さくして該第１期間を前記特定の分割期間とし、該第１期間において、前記各画素の前記発光素子に印加する駆動電流の電流値を、前記積算値と前記輝度変化率特性とに基づく値に設定することを特徴とする請求項１乃至３のいずれかに記載の露光装置。
【請求項５】
前記制御部は、前記第２期間における前記分割露光エネルギーを前記第１期間における前記分割露光エネルギーの３倍以上に設定することを特徴とする請求項４記載の露光装置。
【請求項６】
前記制御部は、前記第２期間における、前記１ライン時間に対する前記発光素子の発光時間の割合からなるデューティを、前記発光素子アレイの前記複数の画素に対して同じ値に設定し、該第２期間において前記複数の画素の前記発光素子に印加する駆動電流の電流値を同じ値に設定することを特徴とする請求項４または５に記載の露光装置。
【請求項７】
画像データに応じた印刷を行なう画像形成装置であって、
感光体ドラムと、
発光素子を有する複数の画素がライン状に配列され、前記感光体ドラムに前記画像データに応じた露光を行なって、該感光体ドラムに露光エネルギーを供給する発光素子アレイと、
前記発光素子アレイの前記複数の画素の各々の前記発光素子に印加された駆動電流の電流値と駆動時間との積の積算値を記憶する計時記憶部と、
前記発光素子の前記駆動電流の電流値と駆動時間に対する輝度変化率特性を記憶した特性変化率記憶部と、
前記感光体ドラムに１ラインを露光するのに要する１ライン露光エネルギーを複数の分割露光エネルギーに分割し、前記感光体ドラムに１ラインを露光する１ライン時間を、前記各分割露光エネルギーを供給する複数の分割期間に分割し、前記複数の分割露光エネルギーのうちの前記１ライン露光エネルギーに対する比率が最も小さい前記分割露光エネルギーを供給する前記分割期間において、前記各画素の前記発光素子に印加する駆動電流の電流値を、前記積算値と前記輝度変化率特性とに基づく値に設定して、前記各画素の前記発光素子の輝度変化率を近づける制御部と
を備えたことを特徴とする画像形成装置。
【請求項８】
前記発光素子アレイにおける前記複数の画素は、所定数の前記画素からなる複数の画素群に分割され、該各画素群の前記各画素が時分割で駆動されることを特徴とする請求項７記載の画像形成装置。
【請求項９】
前記制御部は、前記特定の分割期間において前記各画素の前記発光素子に印加する駆動電流の電流値を前記積算値と前記輝度変化率特性とに基づく値に設定する動作を、前記感光体ドラムに複数のラインを露光する複数ライン期間に亘って行って、前記各画素の前記発光素子の輝度変化率を近づけることを特徴とする請求項７または８に記載の画像形成装置。
【請求項１０】
前記制御部は、前記１ライン時間を前半の第１期間と後半の第２期間に２分割し、前記第１期間における前記分割露光エネルギーを、前記第２期間における前記分割露光エネルギーより小さくし、前記第１期間において、前記各画素の前記発光素子に印加する駆動電流の電流値を、前記積算値と前記輝度変化率特性とに基づく値に設定することを特徴とする請求項７乃至９のいずれかに記載の画像形成装置。
【請求項１１】
前記制御部は、前記第２期間における前記分割露光エネルギーを前記第１期間における前記分割露光エネルギーの３倍以上に設定することを特徴とする請求項１０記載の画像形成装置。
【請求項１２】
前記制御部は、前記第２期間における、前記１ライン時間に対する前記発光素子の発光時間の割合からなるデューティを、前記発光素子アレイの前記複数の画素に対して同じ値に設定し、該第２期間において前記複数の画素の前記発光素子に印加する駆動電流の電流値を同じ値に設定することを特徴とする請求項１０または１１に記載の画像形成装置。
【発明の詳細な説明】
【技術分野】
【０００１】
本発明は、電子写真方式の露光装置及びこの露光装置を備える画像形成装置に関する。
【背景技術】
【０００２】
電子写真方式等の画像形成装置（プリンタ装置）においては、画像形成（印刷）のための露光装置を有している。近年、この露光装置の光源として、有機ＥＬ素子等の発光素子を利用する試みが各種なされている。このような発光素子を各画素に用いた画像表示装置では、画素を選択するとともに発光素子用の駆動電流を発光素子に供給するための複数のトランジスタや、駆動電流を保持するための保持コンデンサ等が各画素毎に設けられている。例えば、特許文献１には、このような構成の表示装置が開示されている。（特許文献１）
この種の表示装置での具体的な動作の概要を説明する。駆動用トランジスタのゲート・ソース間に接続された保持用コンデンサに、選択用トランジスタによって選択される期間、表示階調データに応じた電流が流れることで階調画素データが書込まれる。選択用トランジスタがオフした後、保持用コンデンサには画素の階調表示輝度に対応した信号電荷が書込まれているため、これを表示期間中保持することで、この信号電荷に応じた電流が駆動用トランジスタから発光素子に供給されて発光素子が点灯する。このような表示装置における構成と同等の構成を画像形成装置の各画素に適用することができる。
【特許文献１】特開２００３−０４３９９５号公報
【発明の開示】
【発明が解決しようとする課題】
【０００３】
しかしながら、有機ＥＬ素子等の発光素子においては、電流を流して発光させると発光素子の経時変化による特性の変化によって、一定の電流を印加したときの発光輝度が次第に低下することが知られている。さらに、画像形成装置においては各画素毎に発光輝度及び発光時間が異なるため、前記経時変化の度合も各画素の発光素子毎に異なる。したがって、この種の表示回路を備えた画像形成装置では、時を経るにしたがって画素毎の発光輝度のムラを生じ、均一な濃度での画像形成を行うことが困難となる。
【０００４】
本発明は前記のような実情に鑑みてなされたもので、その目的とするところは、画素毎の経時変化による影響を抑制して、画像形成におけるムラの発生を抑制することが可能な露光装置及びこの露光装置を備える画像形成装置を提供することにある。
【課題を解決するための手段】
【０００５】
請求項１記載の発明は、感光体ドラムに画像データに応じた露光を行なう露光装置であって、発光素子を有する複数の画素がライン状に配列され、前記感光体ドラムに前記画像データに応じた露光を行なって、該感光体ドラムに露光エネルギーを供給する発光素子アレイと、前記発光素子アレイの前記複数の画素の各々の前記発光素子に印加された駆動電流の電流値と駆動時間との積の積算値を記憶する計時記憶部と、前記発光素子の前記駆動電流の電流値と駆動時間に対する輝度変化率特性を記憶した特性変化率記憶部と、前記感光体ドラムに１ラインを露光するのに要する１ライン露光エネルギーを複数の分割露光エネルギーに分割し、前記感光体ドラムに１ラインを露光する１ライン時間を、前記各分割露光エネルギーを供給する複数の分割期間に分割し、前記複数の分割露光エネルギーのうちの前記１ライン露光エネルギーに対する比率が最も小さい前記分割露光エネルギーを供給する特定の分割期間において、前記各画素の前記発光素子に印加する駆動電流の電流値を、前記積算値と前記輝度変化率特性とに基づく値に設定して、前記各画素の前記発光素子の輝度変化率を近づける制御部とを備えたことを特徴とする。
【０００６】
請求項２記載の発明は、前記請求項１記載の発明において、前記発光素子アレイにおける前記複数の画素は、所定数の前記画素からなる複数の画素群に分割され、該各画素群の前記各画素が時分割で駆動されることを特徴とする。
【０００７】
請求項３記載の発明は、前記請求項１または２に記載の発明において、前記制御部は、前記特定の分割期間において前記各画素の前記発光素子に印加する駆動電流の電流値を前記積算値と前記輝度変化率特性とに基づく値に設定する動作を、前記感光体ドラムに複数のラインを露光する複数ライン期間に亘って行って、前記各画素の前記発光素子の輝度変化率を近づけることを特徴とする。
【０００８】
請求項４記載の発明は、前記請求項１乃至３の何れかに記載の発明において、前記制御部は、前記１ライン時間を前半の第１期間と後半の第２期間に２分割し、前記第１期間における前記分割露光エネルギーを、前記第２期間における前記分割露光エネルギーより小さくして該第１期間を前記特定の分割期間とし、該第１期間において、前記各画素の前記発光素子に印加する駆動電流の電流値を、前記積算値と前記輝度変化率特性とに基づく値に設定することを特徴とする。
【０００９】
請求項５記載の発明は、前記請求項４記載の発明において、前記制御部は、前記第２期間における前記分割露光エネルギーを前記第１期間における前記分割露光エネルギーの３倍以上に設定することを特徴とする。
【００１０】
請求項６記載の発明は、前記請求項４または５に記載の発明において、前記制御部は、前記第２期間における、前記１ライン時間に対する前記発光素子の発光時間の割合からなるデューティを、前記発光素子アレイの前記複数の画素に対して同じ値に設定し、該第２期間において前記複数の画素の前記発光素子に印加する駆動電流の電流値を同じ値に設定することを特徴とする。
【００１１】
請求項７記載の発明は、画像データに応じた印刷を行なう画像形成装置であって、感光体ドラムと、発光素子を有する複数の画素がライン状に配列され、前記感光体ドラムに前記画像データに応じた露光を行なって、該感光体ドラムに露光エネルギーを供給する発光素子アレイと、前記発光素子アレイの前記複数の画素の各々の前記発光素子に印加された駆動電流の電流値と駆動時間との積の積算値を記憶する計時記憶部と、前記発光素子の前記駆動電流の電流値と駆動時間に対する輝度変化率特性を記憶した特性変化率記憶部と、前記感光体ドラムに１ラインを露光するのに要する１ライン露光エネルギーを複数の分割露光エネルギーに分割し、前記感光体ドラムに１ラインを露光する１ライン時間を、前記各分割露光エネルギーを供給する複数の分割期間に分割し、前記複数の分割露光エネルギーのうちの前記１ライン露光エネルギーに対する比率が最も小さい前記分割露光エネルギーを供給する前記分割期間において、前記各画素の前記発光素子に印加する駆動電流の電流値を、前記積算値と前記輝度変化率特性とに基づく値に設定して、前記各画素の前記発光素子の輝度変化率を近づける制御部とを備えたことを特徴とする。
【００１２】
請求項８記載の発明は、前記請求項７記載の発明において、前記発光素子アレイにおける前記複数の画素は、所定数の前記画素からなる複数の画素群に分割され、該各画素群の前記各画素が時分割で駆動されることを特徴とする。
【００１３】
請求項９記載の発明は、前記請求項７または８に記載の発明において、前記制御部は、前記特定の分割期間において前記各画素の前記発光素子に印加する駆動電流の電流値を前記積算値と前記輝度変化率特性とに基づく値に設定する動作を、前記感光体ドラムに複数のラインを露光する複数ライン期間に亘って行って、前記各画素の前記発光素子の輝度変化率を近づけることを特徴とする。
【００１４】
請求項１０記載の発明は、前記請求項７乃至９のいずれかに記載の発明において、前記制御部は、前記１ライン時間を前半の第１期間と後半の第２期間に２分割し、前記第１期間における前記分割露光エネルギーを、前記第２期間における前記分割露光エネルギーより小さくし、前記第１期間において、前記各画素の前記発光素子に印加する駆動電流の電流値を、前記積算値と前記輝度変化率特性とに基づく値に設定することを特徴とする。
【００１５】
請求項１１記載の発明は、前記請求項１０記載の発明において、前記制御部は、前記第２期間における前記分割露光エネルギーを前記第１期間における前記分割露光エネルギーの３倍以上に設定することを特徴とする。
【００１６】
請求項１２記載の発明は、前記請求項１０または１１に記載の発明において、前記制御部は、前記第２期間における、前記１ライン時間に対する前記発光素子の発光時間の割合からなるデューティを、前記発光素子アレイの前記複数の画素に対して同じ値に設定し、該第２期間において前記複数の画素の前記発光素子に印加する駆動電流の電流値を同じ値に設定することを特徴とする。
【発明の効果】
【００１７】
本発明によれば、画素毎の経時変化による影響を抑制して画像形成におけるムラの発生を抑制することが可能となる。
【発明を実施するための最良の形態】
【００１８】
以下図面を参照して、本発明の一実施形態に係る露光装置及び画像形成装置（印刷装置）について説明する。  
図１は、本実施形態に係る露光装置を用いた画像形成装置の構成例を示す図である。同図で画像形成装置は、感光体ドラム１、ケース部２Ａ及びロッドレンズアレイ部２Ｂが一体的に設けられた露光装置２、帯電ローラ３、イレーサ光源感光体４、クリーニング部材５、現像ローラ６ａを含む現像器６、転写ローラ８、定着ローラ９、及び搬送ベルト１１を具備して、電子写真方式により画像形成（印刷）を行なうものである。なお、符号７が付されているのは印刷用紙７である。
【００１９】
前記露光装置２を構成するロッドレンズアレイ部２Ｂは、例えばセルフォック（登録商標）レンズを一列、または複数の列に配列させたレンズアレイであり、入射された光を等倍正立像として感光体ドラム１に結像するレンズ部である。
【００２０】
前記感光体ドラム１は、負帯電型ＯＰＣ（Ｏｒｇａｎｉｃ  Ｐｈｏｔｏ  Ｃｏｎｄｕｃｔｏｒ）感光体（有機感光体）であり、これに対応して帯電ローラ３が負帯電器とされる。また、前記露光装置２は、詳しくは後述するが、発光素子を有する複数の画素がアレイ状に配列した発光素子アレイを有して構成されている。
【００２１】
前記図１に示す画像形成装置では、大まかに以下のような工程により印刷が行なわれる。まず、前記帯電ローラ３が回転する感光体ドラム１の表面に接触することにより、感光体ドラム１の接触した表面が一様に負電位となるように帯電される。
【００２２】
続いて、前記露光装置２によって前記感光体ドラム１に対して光照射がなされ、各画素の発光素子から照射される光の強度の照射時間についての積分値に基づく露光エネルギーを感光体ドラム１に供給して、感光体ドラム１上に静電潜像が形成される。その後、前記現像器６によって、前記静電潜像にトナーが付着される。そして、前記転写ローラ８によって、前記静電潜像に付着しているトナーが前記印刷用紙７に転写される。
【００２３】
以下、このような印刷工程を詳細に説明する。  
まず、感光体ドラム１には、図示しない帯電用電源から供給されるマイナス高電圧が前記帯電ローラ３によって印加される。これにより感光体ドラム１における周表面は一様に負帯電され、電位的に初期化された初期化帯電状態となる。
【００２４】
そして、周表面が初期化帯電状態となった感光体ドラム１に対し、前記露光装置２によって印字情報に従った光書込み（露光）が行なわれる。これにより、初期化帯電によるマイナス高電位部と、露光による例えば−５０［Ｖ］程度のマイナス低電位部とからなる静電潜像が、感光体ドラム１の周表面上に形成される。
【００２５】
ここで、前記現像器６内に収容されている弱いマイナス電位に帯電したトナーが、前記現像ローラ６ａによって、現像ローラ６ａと感光体ドラム１との対向部に回転搬送される。このとき、現像ローラ６ａは、図示しない電源から例えば−２５０［Ｖ］程度の現像バイアス電圧が印加される。
【００２６】
したがって、−２５０［Ｖ］の現像バイアス電圧が印加された現像ローラ６ａと、感光体ドラム１における静電潜像の−５０［Ｖ］程度のマイナス低電位部との間に２００［Ｖ］程度の電位差が形成される。
【００２７】
これらの静電潜像における現像電圧との電位差により、現像ローラ６ａに対して相対的にプラス極性の電位となった静電潜像におけるマイナス低電位部には、マイナス極性に帯電しているトナーが転移してトナー像が形成される。このトナー像は、感光体ドラム１の回転によって、感光体ドラム１と転写ローラ８とが対向している転写部へと搬送される。
【００２８】
なお、前述したようにして形成されたトナー像におけるトナー付着量、すなわち現像された画像の濃度は、露光装置２の発光素子による感光体ドラム１への露光量に応じて生じる感光体ドラム１の周表面上における電位の減衰量によって決定される。
【００２９】
次いで、前述したようにトナー像が転写部へ搬送されると、搬送ベルト１１によって印刷用紙７が転写部へ搬送される。そして、転写部においては、トナー像が印刷用紙７上に、転写ローラ８によって転写される。
【００３０】
このようにしてトナー像が転写された印刷用紙７が搬送ベルト１１によりさらに下流に搬送され、トナー像が定着ローラ９によって熱定着された後、印刷用紙７は当該画像形成装置の外部へ排出される。
【００３１】
また、トナー像が印刷用紙７上に転写された後、感光体ドラム１の周表面からクリーニング部材５により残留トナーが除去され、さらにイレーサ光源感光体４によって一様に０(ゼロ)［Ｖ］に除電されて、帯電ローラ３への帯電に備えられる。
【００３２】
なお、前記露光装置２における前記ケース部２Ａ内には、図１に示す感光体ドラム１への露光走査の主走査方向である感光体ドラム１の軸方向に沿って、有機ＥＬ素子からなる発光素子を有する多数の画素がライン状に配列された発光素子アレイが設けられる。
【００３３】
図２は、前記ケース部２Ａ内に設けられる露光ヘッド部の駆動回路の構成を示すものである。同図では、説明を簡略化するために露光ヘッド基板における発光素子アレイが全２４画素で構成されるものとして説明するが、実際の露光ヘッド基板は、前述した如く、例えば印字解像度が１２００［ｄｐｉ］でＡ４の用紙（長辺２９７［ｍｍ］）に対応した印刷装置であれば、およそ１４，０００画素の構成となる。
【００３４】
同図で露光装置２のケース部２Ａ内には、印刷すべき画像データが供給されるデータ解析・タイミング制御部（制御部）２０、データドライバ２１、セレクト生成部２２、露光ヘッド基板２３、アノード生成部２４、計時記憶部２５、及び特性変化テーブル（特性変化率記憶部）２６を備える。露光ヘッド基板２３には、隣接する４画素ずつで分割した計６つの画素群ａ１〜ａ４，ｂ１〜ｂ４，‥‥，ｆ１〜ｆ４が配置される。
【００３５】
画像データに合わせた露光を行なう場合、データ解析・タイミング制御部２０は、ここでは図示しないラスタイメージプロセッサからの画像データと用紙サイズ及び搬送速度に合わせた水平制御信号ＨＳＹＮＣ、及び垂直制御信号を受信し、それらの制御信号に合わせてデータドライバ２１にデータ転送を行なう。
【００３６】
データドライバ２１は、データ解析・タイミング制御部２０から送られる階調データに基づく電流値を有する複数の駆動電流Ｉｄｒｖａ〜Ｉｄｒｖｆを生成して露光ヘッド基板２３に供給する。
【００３７】
また、セレクト生成部２２は、データ解析・タイミング制御部２０からの制御信号に合わせて画素を選択状態とするための複数の選択信号（Ｓｅｌｅｃｔ１〜Ｓｅｌｅｃｔ４）を生成して露光ヘッド基板２３に供給する。
【００３８】
一方、アノード生成部２４もデータ解析・タイミング制御部２０からの制御信号に合わせて各画素の発光素子を発光状態とするための複数の保持信号（Ａｎｏｄｅ１〜Ａｎｏｄｅ４）を生成して露光ヘッド基板２３に供給する。  
計時記憶部２５は、露光ヘッド基板２３に形成される発光素子アレイの全画素に対し、各画素の発光素子に印加された駆動電流の電流値と駆動時間（発酵時間）との積の積算値を記憶する。
【００３９】
特性変化テーブル２６は、露光ヘッド基板２３の発光素子アレイの発光素子の駆動電流の電流値と駆動時間に対する輝度変化率をテーブル形式で記憶したものである。
【００４０】
前記データ解析・タイミング制御部２０は、印刷すべき画像データが供給され、前記計時記憶部２５で記憶する画素毎の積算値と、特性変化テーブル２６に記憶された発光素子の駆動電流の電流値と駆動時間に対する輝度変化率とに基づいて予測される各画素の発光素子の輝度変化率に対応した補正駆動値を算出する算出手段を備え、画像データに対応した階調データに対して前記補正駆動値を乗算した補正後の階調データをデータドライバ２１に送出する。
【００４１】
さらに前記データ解析・タイミング制御部２０は、後述する如く露光ヘッド基板２３の各画素に対してリセット信号を生成して送出する。
【００４２】
図３は、前記図２に示す露光ヘッド基板２３の回路の構成を示す図である。また、図４は、本発明の効果を説明するための、比較対象としての駆動タイミングチャートである。  
図３は、前記図２に示す露光ヘッド基板２３上の画素群ａ〜ｆのうち、４つの画素ａ１〜ａ４からなる画素群ａと、４つの画素ｂ１〜ｂ４からなる画素群ｂの一部（画素ｂ１、ｂ２）とを示している。
【００４３】
各画素は、例えば、薄膜トランジスタで構成され、画素の選択用スイッチとしての選択トランジスタ３３と、発光素子としての有機ＥＬ素子３４と、薄膜トランジスタで構成され、前記有機ＥＬ素子３４駆動用の駆動トランジスタ３１と、薄膜トランジスタで形成された保持トランジスタ３０と、画素の表示輝度に対応した信号電荷を保持するための保持コンデンサ３２とを具備して構成される。
【００４４】
図３に示す露光ヘッド基板２３においては、各駆動電圧が印加される複数の駆動信号線と、各選択信号が印加される複数の選択信号線と、各保持信号が印加される複数の保持信号線とを有する。
【００４５】
各選択信号線に印加される選択信号がハイレベルとされる画素の選択期間に、データドライバ２１から階調データに基づく電流値を有する駆動電流Ｉｄａｔａａ〜Ｉｄａｔａｆが各駆動信号線に流され、選択トランジスタ３３を介して駆動トランジスタ３１に流されて、駆動トランジスタ３１の電流路に流れる電流に対応した電荷が保持コンデンサ３２に蓄積される。
【００４６】
そして、選択信号がローレベルとされ、保持信号線に印加される保持信号がハイレベルとされる保持期間に、保持コンデンサ３２に蓄積された電荷に応じた電流が駆動トランジスタ３１から有機ＥＬ素子３４に供給され、この電流の電流値に応じた輝度で有機ＥＬ素子３４が発光するように構成される。
【００４７】
また、各駆動信号線にリセットトランジスタ３５，３６が設けられ、選択期間の初期にリセットトランジスタ３５，３６をオンにして保持コンデンサ３２に充電された電荷を放電させるように構成される。
【００４８】
図４に示す水平制御信号ＨＳＹＮＣは印刷装置の主走査方向（感光体ドラム１の軸方向）の同期信号であり、アクティブ〜アクティブ期間が１ラインに許されるドット形成処理時間（１ライン時間）となる。例えば印字解像度が主走査方向、搬送方向共に１２００［ｄｐｉ］、印字速度４０［枚／分］、用紙間５０［ｍｍ］でＡ４横サイズの光源ユニットを用いるとすると、１ライン時間は、  
((25.4mm/1200dpi)/(210mm×40枚＋50mm×40枚))/60  
≒１２２［μ秒］となる。
【００４９】
データドライバ２１は、水平制御信号ＨＳＹＮＣがアクティブ〜アクティブである期間（１ライン時間）に、前記感光体ドラム１を露光して潜像を形成するのに必要な露光エネルギーが得られるように、各画素を駆動して所定の時間発光させる。
【００５０】
発光時間を１ライン時間に対して十分に短い期間とすれば、１ライン時間中に各画素を複数回発光させることが可能で、配列された画素を時分割で発光させることが製造コスト、及び実装上の観点から望ましい。
【００５１】
その場合、前記図２，図３に示した如く１本のデータドライバ２１からの出力で複数の本の画素３４のアノードと接続し、同カソード側をセレクト生成部２２で生成する選択信号Ｓｅｌｅｃｔ１〜Ｓｅｌｅｃｔ４を１ライン時間内でシフトする。
【００５２】
前記図２では、一例としてデータドライバ２１が１本の駆動信号線Ｉｄｒｖａで画素群ａの４つの画素ａ１〜ａ４を駆動し、露光ヘッド基板２３への供給ラインをＩｄｒｖａ〜Ｉｄｒｖｆの計６本としているが、本発明はこの限りではない。
【００５３】
同様に、セレクト生成部２２から露光ヘッド基板２３への選択信号線Ｓｅｌｅｃｔ１〜Ｓｅｌｅｃｔ４と、アノード生成部２４から露光ヘッド基板２３への保持信号線Ａｎｏｄｅ１〜Ａｎｏｄｅ４も各画素群の４つの画素に対して４本ずつ出力するものとしているが、本発明はこの限りではない。
【００５４】
したがって、露光ヘッド基板２３は、水平方向（走査方向）に各画素が一列に２４（＝４×６）画素形成される。実際の有機ＥＬを用いた露光ヘッド基板２３では、一列あるいは複数列に用紙サイズ分の画素素子を形成する。
【００５５】
図４は、前記のような回路構成を一般的な駆動方法で制御する場合の制御タイミングを示す。選択信号Ｓｅｌｅｃｔ１が“Ｈ”レベルの期間で各画素群中の画素ａ１，ｂ１，‥‥，ｆ１の回路に駆動電流に対応した信号電荷が保持コンデンサ３２に書込まれる。この保持コンデンサ３２に書込まれた信号電荷に応じた電流が駆動トランジスタ３１から有機ＥＬ素子３４に供給されることで、保持信号Ａｎｏｄｅ１が“Ｈ”レベルである期間中、有機ＥＬ素子３４が発光する。
【００５６】
同様に、選択信号Ｓｅｌｅｃｔ２が“Ｈ”レベルの期間で各画素群中の画素ａ２，ｂ２，‥‥，ｆ２が、選択信号Ｓｅｌｅｃｔ３が“Ｈ”レベルの期間で各画素群中の画素ａ３，ｂ３，‥‥，ｆ３が、選択信号Ｓｅｌｅｃｔ４が“Ｈ”レベルの期間で各画素群中の画素ａ４，ｂ４，‥‥，ｆ４が、それぞれ階調データに応じた駆動電流がデータドライバ２１から出力されて、その後の各保持信号Ａｎｏｄｅ２〜４が“Ｈ”レベルである期間、それぞれ対応する画素の発光素子が発光する。
【００５７】
以下に、前記した一般的な駆動方法における不具合を説明する。  
有機ＥＬ素子は、駆動時間の経過とともにその発光輝度が徐々に低下することが知られている。露光ヘッド基板２３を構成する複数の有機ＥＬ素子３４は、その配置された位置に応じた画像データの階調に基づいて点灯駆動されるものであり、画素の位置毎に駆動される階調値が異なることから、画素毎の発光時間の累積値が異なる。
【００５８】
そのため、露光ヘッド基板２３を構成する複数の有機ＥＬ素子３４は、全てを同一の駆動電流で駆動した場合、、画素毎の経時変化の程度の違いにより、実際の発光輝度が異なるため、全体として輝度ムラを生じて画像形成（印刷）においてムラが発生する。そして、これが時間の経過とともに徐々に顕著となるという不具合を生じる。
【００５９】
本発明は、前記のような不具合の改善を図るものである。以下、本発明の一実施形態に係る駆動方法について説明する。
【００６０】
図５は、前記図３で示した回路構成を本発明の一実施形態に係る駆動方法で制御する場合の制御タイミングを示す。  
ここで前記データ解析・タイミング制御部２０は、露光ヘッド基板２３の発光素子アレイの各発光素子によって感光体ドラム１を露光して潜像を形成するときに感光体ドラム１に供給される露光エネルギーが均一となるように、各画素の発光素子の発光期間を１ライン時間内で複数に分割し、分割された各発光期間において各画素に対する駆動電流の値を調整して、１ライン時間内で所望の露光エネルギーが得られると共に、各画素の輝度変化率が揃う方向に駆動制御する。
【００６１】
すなわち、図５では、一例として１ライン時間を前後２分割した場合について示す。ここで、分割した期間の前半をファースト期間（第１期間）、後半をセカンド期間（第２期間）と呼称する。
【００６２】
そして、前記データ解析・タイミング制御部２０は、ファースト期間において設定される１ライン時間内の発光期間（第１発光期間）の割合（デューティ）とセカンド期間において各々設定される発光期間（第２発光期間）の割合（デューティ）の値と、発光素子の駆動電流の電流値と駆動時間との積の積算値と発光素子の駆動電流の電流値と駆動時間に対する輝度変化率に基づいて予測される発光素子の輝度変化率と、予測される発光素子の輝度変化率特に対応して上記算出手段によって算出される補正駆動値に対応して、各画素の発光素子に印加する駆動電流の値を適宜設定して、各画素の発光素子の輝度変化率のばらつきを減らすように駆動する。図５においては、ファースト期間におけるデューティを１２．５％、セカンド期間におけるデューティを３７．５％とした場合について示す。
【００６３】
図６は、参照例として、先に示した印字解像度が主走査方向、搬送方向共に１２００［ｄｐｉ］、印字速度４０［枚／分］、用紙間５０［ｍｍ］でＡ４横サイズに対応した光源ユニットで、感光体ドラム１の光感度を０．３［μＪ／ｃｍ2］、有機ＥＬ素子３４の効率を２．２［ｃｄ／Ａ］、感光体ドラム１表面上に結像させる目的で露光ユニット内に備えるレンズアレイの光伝達度を６［％］とした場合に、露光ヘッド基板２３の発光素子アレイの各画素の発光素子の特性が揃っている場合に、階調データが最高階調であるときに必要な露光エネルギーを得るために、従来の一般的な駆動方法による、各画素の発光素子を最高階調で発光させるのに必要な駆動電流を、１ライン時間内の点灯時間の割合（デューティ）毎に示した表である。
【００６４】
なお、有機ＥＬ素子３４の発光輝度は電流値に比例するものであるため、階調データが最高階調以外の階調であるときの駆動電流の電流値は、上記の最高階調での駆動電流に階調値に応じた比率を乗算したものとなる。
【００６５】
露光装置２によって感光体ドラム１に供給される露光エネルギーは、発光素子アレイの発光素子の発光輝度と発光時間の積に対応する。図６に示す如く、デューティの値が小さく、１ライン時間中で有機ＥＬ素子３４を発光させる時間が短いほど、大きな駆動電流が必要となる。
【００６６】
また、上述のように、各画素に供給する駆動電流を同一とした場合、各画素の発光素子の特性が揃っているときには問題ないが、画素毎の経時変化の程度の違いによって各画素の発光素子の特性が揃っていないときには画素毎の発光輝度が異なってしまうために輝度ムラを生じてしまう。
【００６７】
これに対して、本実施形態においては、前記図５で示したように１ライン時間をファースト期間とセカンド期間に２分割する。
【００６８】
図７は、本実施形態において、発光素子アレイの各画素の発光素子の特性が揃っている場合に、階調データが最高階調であるときに必要な露光エネルギーを１ライン期間のファースト期間とセカンド期間で得るための、ファースト期間及びセカンド期間のデューティ毎の駆動電流の関係を示す表である。
【００６９】
ここで、露光ヘッド基板２３や感光体ドラム１の露光に係わる各部の構成等は、上記図６において示したものと同じとする。また、この場合においても、階調データが最高階調以外の階調であるときの駆動電流の電流値は、上記の最高階調での駆動電流に階調値に応じた比率を乗算したものとなる。
【００７０】
すなわち、本実施形態においては、図７に示すように、図７（Ａ）に示す前半のファースト期間で２５［％］画像を形成し、図７（Ｂ）に示す後半のセカンド期間で７５［％］画像を形成するように駆動する。
【００７１】
図６において示したものと同様に、一定の露光エネルギーを得るためには、デューティの値が小さいほど、大きな駆動電流が必要となる。本実施形態においては、図５に示したように、ファースト期間におけるデューティとセカンド期間におけるデューティとを異なる値とし、ファースト期間におけるデューティを１２．５％、セカンド期間におけるデューティを３７．５％とした。
【００７２】
この場合、図７（Ａ）、図７（Ｂ）から分かるように、発光素子アレイの各画素の発光素子の特性が揃っている場合には、ファースト期間における駆動電流とセカンド期間における駆動電流の値は同じとなる。
【００７３】
次に、発光素子の経時変化による特性の変化特性について説明する。  
図８は、有機ＥＬ素子３４の経時変化特性として、発光輝度の、駆動電流の電流値を所定の定格値とその値の２倍の値に変えたときの駆動時間（発光時間）に対する変化率（初期状態を１００としたときの相対値）、を示す図である。
【００７４】
同図中、Ｉは駆動電流の電流値が所定値で、１ライン時間中にあるデューティＡ［％］で点灯駆動した場合、IIはデューティを前記Ａの場合の半分のＡ／２［％］にして、駆動電流の電流値をＩの所定値の２倍にして、駆動開始直後の発光輝度がＩの場合と同じになるようにして駆動した場合の、各輝度が半減値（５０［％］）となるまでの経時変化特性を示している。
【００７５】
本実施形態は、図８に示した特性のように、駆動電流の電流値を変化させることによって一定の時間内での発光素子の輝度変化率を変化させることができる、ということに基づいて、１ライン期間の前半のファースト期間において、輝度変化率が最も大きい画素に供給する駆動電流の電流値を、例えば、発光素子が初期特性を有しているときに対応した、階調データの階調値に応じた定格値に設定し、それ以外の各画素に供給する駆動電流の電流値を、階調データの階調値に応じた定格値から各画素の発光素子の輝度変化率に応じた補正駆動値に対応して変化させて（増加させて）、これらの画素の発光素子の輝度変化率を概ね揃えるようにする。そして、後半のセカンド期間においては、各画素に供給する駆動電流の電流値を、例えば、階調データの階調値に応じた定格値で同じ値として、駆動するものである。
【００７６】
すなわち、ファースト期間において、全画素のうちの発光素子の輝度変化率が相対的に少ない画素に供給する駆動電流の電流値を、発光素子の輝度変化率が大きい画素に供給する駆動電流の電流値より増加させ、これにより発光素子の輝度変化率が相対的に少ない画素の特性変化を早めて、ファースト期間の第１発光期間が終了した時点で、各画素の輝度変化率が概ね揃うようにするものである。
【００７７】
この場合、画像形成におけるむらの発生を抑制することができるが、各画素の発光素子は駆動電流を流して発光動作をすることによって多少なりとも特性変化が進行するため、駆動電流を定格値とした場合、各画素の発光素子の発光輝度は全体的に低下することになり、画像形成装置に用いたときに印字の濃度が全体的に次第に薄くなることとなるが、その変化は緩やかであるため、目立つものではない。
【００７８】
本実施形態における具体的な動作の一例について、図面を参照してさらに詳しく説明する。  
図９は、本実施形態における駆動方法の概念を説明するための図であり、図１０は、輝度変化テーブル２６に記憶される発光素子の駆動電流の電流値と駆動時間に対する輝度変化率のテーブルの一例を示すものである。
【００７９】
図９は、露光ヘッド基板２３の画素群ａの１番目の画素ａ１と画素群ｂの１番目の画素ｂ１に対する駆動を示し、画素ａ１の輝度変化率が画素ｂ１の輝度変化率より少ない場合について示している。図９（Ａ）は各画素の発光輝度と発光期間の積に対応する露光エネルギーを示し、図９（Ｂ）は各画素に対する選択信号（Ｓｅｌｅｃｔ信号）と保持信号（Ａｎｏｄｅ信号）を示し、図９（Ｃ）は各画素に供給する駆動電流（Ｉｄｒｖａ、Ｉｄｒｖｂ）を示す。
【００８０】
図９（Ｃ）に示すように、データ解析・タイミング制御部２０は、ファースト期間において画素ａ１に印加する駆動電流Ｉａ１の電流値を、画素ｂ１に印加する駆動電流Ｉｂ１の電流値より大きくする。駆動電流Ｉｂ１の電流値は、例えば、画素の発光素子が初期特性を有しているときに画素データに応じた階調信号に応じた輝度で発光する定格値を有するものである。
【００８１】
そして、ファースト期間の第１発光期間において、画素ａ１に、画素ｂ１に印加する駆動電流Ｉｂ１より大きい電流値の駆動電流Ｉａ１を流して発光させるため、図９（Ａ）に示すように、第１発光期間の初期においては、画素ａ１の発光素子の発光輝度は画素ｂ１の発光素子の発光輝度より高くなる。
【００８２】
しかしながら、図８に示したように、駆動電流の電流値が大きい程、発光素子の発光輝度の経時変化（発光輝度の低下）が早くなる。そこで、画素ｂ１も駆動電流Ｉｂ１が供給されて発光することによって第１発光期間中に有る程度の経時変化が生じるが、画素ａ１に供給する駆動電流Ｉａ１の電流値を、計時記憶部２５に記憶されている積算値と特性変化テーブル２６に記憶されている輝度変化率とに基づいて、第１発光期間が終了する時点での画素ａ１の輝度変化率が同じタイミングでの画素ｂ１の輝度変化率と同等となるか、または近づくような値に設定する。
【００８３】
その後のセカンド期間においては、図９（Ｃ）に示すように、画素ａ１、ｂ１に供給する駆動電流Ｉａ１、Ｉｂ１の電流値を同じとし、例えば、定格値に設定されるものとする。このとき、画素ａ１、ｂ１は同じ電流で同じ期間だけ駆動されるため、このセカンド期間の第２発光期間における画素ａ１、ｂ１の輝度変化率は同等となる。
【００８４】
これにより、当該１ライン期間において画素ａ１、ｂ１により感光体ドラム１に供給される露光エネルギーは、図９（Ａ）に示すように、ファースト期間の第１発光期間においては画素ａ１と画素ｂ１との間で多少の差が生じるが、セカンド期間の第２発光期間では画素ａ１と画素ｂ１との間で殆ど差が生じない。
【００８５】
そして、第２発光期間に供給される露光エネルギーの方が第１発光期間に供給される露光エネルギーより大きく設定されているため、この１ライン期間において、画素ａ１と画素ｂ１とにより供給される露光エネルギーは概ね同等の値とすることができて、画像形成におけるむらの発生を抑制することができる。
【００８６】
なお、図９は本発明の駆動方法の概念を示したものであって、上記第１発光期間の時間は実際には非常に短い時間であるため、図９（Ａ）に示したような発光素子の経時変化による発光輝度の低下は、実際には１回の第１発光期間だけで生じるとは限らないが、複数のライン期間に亘って同様の制御動作を繰り返すことで、図９（Ａ）に示すような状態が実現されるものである。
【００８７】
次に、計時記憶部２５に記憶されている積算値と特性変化テーブル２６に記憶されている輝度変化率とに基づく、画素ａ１に供給する駆動電流Ｉａ１の電流値の設定方法について説明する。
【００８８】
ここで、計時記憶部２５には、露光ヘッド基板２３に形成される発光素子アレイの全画素の発光素子の、駆動電流の電流値と駆動時間との積の積算値が記録されている。また、特性変化テーブル２６には、図１０に示すように、発光素子の駆動電流の電流値をパラメータとして、複数の駆動電流の電流値に対する、駆動時間と輝度変化率の関係がテーブル形式で記憶されている。
【００８９】
データ解析・タイミング制御部２０は、データドライバ２１にデータ転送を行なう動作に先だって、まず、計時記憶部２５に記憶されている全画素の積算値を参照して、次の１ライン期間で発光動作させる各画素の積算値より、当該各画素のうちの最も積算値が多く、輝度変化率が最も大きいと予測される画素（ワースト画素と呼ぶ）と、それ以外の画素の前記ワースト画素の積算値との差分を抽出する。
【００９０】
次に、上記ワースト画素の積分値に基づいて特性変化テーブル２６を参照して、ワースト画素の発光素子の輝度変化率を推定するとともに、ワースト画素以外の画素のワースト画素の積算値との差分に基づいて特性変化テーブル２６を参照して、ファースト期間の第１発光期間を経過した後の状態において、ワースト画素以外の画素の発光素子の輝度変化率がワースト画素の発光素子の輝度変化率と同等もしくは近似した値となるために必要な、各画素に対する駆動電流の値の補正値としての補正駆動値を算出する。
【００９１】
データ解析・タイミング制御部２０は、こうして算出された各画素に対する補正駆動値の値に応じて各画素に対する駆動電流の値を設定して、これに対応する階調データをデータドライバ２１に供給する。
【００９２】
そして、データドライバ２１は、選択信号Ｓｅｌｅｃｔ１がファースト期間中の“Ｈ”レベルである際に、各画素群中の画素ａ１，ｂ１，‥‥，ｆ１に対し、データ解析・タイミング制御部２０から供給された階調データに対応して、１ラインの印刷に必要な露光エネルギーの２５％（分割露光エネルギー）を供給するための駆動電流Ｉｄｒｖａ＝Ｉａ１，Ｉｄｒｖｂ＝Ｉｂ１，‥‥，Ｉｄｒｖｆ＝Ｉｆ１を露光ヘッド基板２３の各駆動信号線に供給し、対応する信号電荷を各画素の保持コンデンサ３２に書込む。
【００９３】
そして、これら保持コンデンサ３２に書込んだ信号電荷に応じた電流を駆動トランジスタ３１から有機ＥＬ素子３４に供給することで、まずファースト期間で保持信号Ａｎｏｄｅ１が“Ｈ”レベルである期間（第１発光期間）中、有機ＥＬ素子３４を発光させる。
【００９４】
同様に、選択信号Ｓｅｌｅｃｔ２がファースト期間の“Ｈ”レベルである際に、各画素群中の画素ａ２，ｂ２，‥‥，ｆ２に対し、データ解析・タイミング制御部２０から供給された階調データに対応して、印刷すべき画像の２５％を形成するための駆動電流Ｉｄｒｖａ＝Ｉａ２，Ｉｄｒｖｂ＝Ｉｂ２，‥‥，Ｉｄｒｖｆ＝Ｉｆ２を露光ヘッド基板２３の各駆動信号線に供給し、対応する信号電荷を各画素の保持コンデンサ３２に書込む。
【００９５】
そして、これら保持コンデンサ３２に書込んだ信号電荷に応じた電流を駆動トランジスタ３１から有機ＥＬ素子３４に供給することで、まずファースト期間で保持信号Ａｎｏｄｅ２が“Ｈ”レベルである期間（第１発光期間）中、有機ＥＬ素子３４を発光させる。
【００９６】
その後の画素ａ３，ｂ３，‥‥，ｆ３、及び画素ａ４，ｂ４，‥‥，ｆ４においても同様に、選択信号Ｓｅｌｅｃｔ３，Ｓｅｌｅｃｔ４がファースト期間の“Ｈ”レベルである際に供給された階調データに対応した信号電荷を各画素の保持コンデンサ３２に書込み、続く保持信号Ａｎｏｄｅ３，Ａｎｏｄｅ４が“Ｈ”レベルである期間（第１発光期間）に有機ＥＬ素子３４を発光させる。
【００９７】
次に、データドライバ２１は、選択信号Ｓｅｌｅｃｔ１がセカンド期間中の“Ｈ”レベルである際に、各画素群中の画素ａ１，ｂ１，‥‥，ｆ１に対し、データ解析・タイミング制御部２０から供給された階調データに対応して、１ラインの印刷に必要な露光エネルギーの７５％（分割露光エネルギー）を供給するための駆動電流Ｉｄｒｖａ＝Ｉａ’１，Ｉｄｒｖｂ＝Ｉｂ’１，‥‥，Ｉｄｒｖｆ＝Ｉｆ’１を露光ヘッド基板２３の各駆動信号線に供給し、対応する信号電荷を各画素の保持コンデンサ３２に書込む。
【００９８】
そして、これら保持コンデンサ３２に書込んだ、劣化に応じた補正を施した信号電荷に応じた電流を駆動トランジスタ３１から有機ＥＬ素子３４に供給することで、セカンド期間で保持信号Ａｎｏｄｅ１が“Ｈ”レベルである期間（第２発光期間）中、有機ＥＬ素子３４を発光させる。
【００９９】
同様に、選択信号Ｓｅｌｅｃｔ２がセカンド期間の“Ｈ”レベルである際に、各画素群中の画素ａ２，ｂ２，‥‥，ｆ２に対し、データ解析・タイミング制御部２０から供給された階調データに対応して、１ラインの印刷に必要な露光エネルギーの７５％（分割露光エネルギー）を供給するための駆動電流Ｉｄｒｖａ＝Ｉａ’２，Ｉｄｒｖｂ＝Ｉｂ’２，‥‥，Ｉｄｒｖｆ＝Ｉｆ’２を露光ヘッド基板２３の各駆動信号線に供給し、対応する信号電荷を各画素の保持コンデンサ３２に書込む。
【０１００】
そして、これら保持コンデンサ３２に書込んだ信号電荷に応じた電流を駆動トランジスタ３１から有機ＥＬ素子３４に供給することで、セカンド期間で保持信号Ａｎｏｄｅ２が“Ｈ”レベルである期間（第２発光期間）中、有機ＥＬ素子３４を発光させる。
【０１０１】
その後の画素ａ３，ｂ３，‥‥，ｆ３、及び画素ａ４，ｂ４，‥‥，ｆ４においても同様に、選択信号Ｓｅｌｅｃｔ３，Ｓｅｌｅｃｔ４がセカンド期間の“Ｈ”レベルである際に供給された階調データに対応した信号電荷を各画素の保持コンデンサ３２に書込み、続く保持信号Ａｎｏｄｅ３，Ａｎｏｄｅ４が“Ｈ”レベルである期間（第２発光期間）に有機ＥＬ素子３４を発光させる。
【０１０２】
このように、前記実施形態によれば、画素毎に異なる、経時変化による影響を抑制して、全体で常に均一な濃度での画像形成（印刷）を継続して維持することが可能となる。
【０１０３】
また、前記実施形態では、各画素の発光素子の輝度変化率の差を減らして、各画素の発光素子の輝度変化率を揃える制御を、画像の例えば２５％を形成するファースト期間のみにて行なうものとした。
【０１０４】
すなわち、より画像を形成する割合が低い期間、すなわち本来画像データに応じて書込む信号電荷の量が少ない期間に、輝度変化率を揃えるように駆動電流の電流値を調整する制御を行なうものとしたので、各画素の輝度変化率を揃えた状態で画像を形成する割合を多くすることができて、画素間に濃度の差が生じることをさらに抑制することができる。
【０１０５】
また、前記実施形態では、ファースト期間のデューティを１２．５％とし、セカンド期間のデューティを３７．５％とし、ファースト期間において画像の２５％を形成し、セカンド期間において画像の７５％を形成するとして説明したが、これに限るものではなく、他のデューティや画像の形成率の他の値としてもよい。ただし、前記の本発明の効果を奏するためには、セカンド期間における画像の形成率をファースト期間における画像の形成率より大きくする必要がある。
【０１０６】
その他、本発明は前述した実施形態に限定されるものではなく、実施段階ではその要旨を逸脱しない範囲で種々に変形することが可能である。また、前述した実施形態で実行される機能は可能な限り適宜組み合わせて実施しても良い。前述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【０１０７】
【図１】本発明の一実施形態に係る画像形成装置の構成を示す図。
【図２】同実施形態に係る露光ヘッド部の駆動回路の構成を示す図。
【図３】同実施形態に係る露光ヘッド基板の回路の構成を示す図。
【図４】図３の回路での一般的な駆動方法で制御する場合の制御タイミングを示すタイミングチャート。
【図５】図３の回路での同実施形態に係る駆動方法で制御する場合の制御タイミングを示すタイミングチャート。
【図６】図４の駆動方法で制御する場合の、デューティ毎の駆動電流の関係を示す図。
【図７】同実施形態に係る図５の駆動方法で制御する場合の、ファースト期間及びセカンド期間での、デューティ毎の駆動電流の関係を示す図。
【図８】有機ＥＬ素子の発光輝度の、駆動電流の電流値を変えたときの、発光時間に対する変化率を示す図。
【図９】同実施形態における駆動方法の概念を説明するための図。
【図１０】特性変化テーブルに記憶される発光素子の駆動電流の電流値と駆動時間に対する輝度変化率のテーブルの一例を示す図。
【符号の説明】
【０１０８】
１…感光体ドラム、２…露光装置、２Ａ…ケース部、２Ｂ…ロッドレンズアレイ部、３…帯電ローラ、４…イレーサ光源感光体、５…クリーニング部材、６…現像器、７…印刷用紙、８…転写ローラ、９…定着ローラ、１１…搬送ベルト、２０…データ解析・タイミング制御部、２１…データドライバ、２２…セレクト生成部、２３…露光ヘッド基板、２４…アノード生成部、２５…計時記憶部、２６…特性変化テーブル、３０…保持トランジスタ、３１…駆動トランジスタ、３２…保持コンデンサ、３３…選択トランジスタ、３４…有機ＥＬ素子、３５，３６…リセットトランジスタ。
【図１】
2010006023.tif 000003
【図２】
2010006023.tif 000004
【図３】
2010006023.tif 000005
【図４】
2010006023.tif 000006
【図５】
2010006023.tif 000007
【図６】
2010006023.tif 000008
【図７】
2010006023.tif 000009
【図８】
2010006023.tif 000010
【図９】
2010006023.tif 000011
【図１０】
2010006023.tif 000012